【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
一次コイル（２１）を流れる一次電流（Ｉ１）の増減により、点火プラグ(Ｐ)に接続される二次コイル（２２）に放電エネルギを発生させる点火コイル（２）と、
上記一次コイルへの通電を制御して、上記点火プラグに火花放電を生起する主点火動作を行う主点火回路部（３）と、
上記主点火動作により上記二次コイルを流れる二次電流（Ｉ２）に対して、同極性の電流を重畳させるエネルギ投入動作を行うエネルギ投入回路部（４）と、を備える内燃機関の点火制御装置（１）であって、
上記主点火動作を制御する主点火信号（ＩＧＴ）と、上記エネルギ投入動作を制御するエネルギ投入信号（ＩＧＷ）と、目標二次電流指令信号（ＩＧＡ）とが統合された信号である点火制御信号（ＩＧ）を受信し、受信した上記点火制御信号に含まれる信号を分離する信号分離回路部（５）を備えており、
上記点火制御信号は、パルス状の第１信号（ＩＧ１）及び第２信号（ＩＧ２）からなり、
上記信号分離回路部は、上記点火制御信号から、上記第１信号及び上記第２信号のパルス波形情報である上記第１信号及び上記第２信号の立ち上がりに基づいて上記主点火信号を生成し、上記第２信号のパルス波形情報である上記第２信号のパルス幅に基づいて上記エネルギ投入信号を生成し、上記第１信号のパルス波形情報に基づいて上記目標二次電流指令信号を生成する、内燃機関の点火制御装置。
【請求項２】
上記エネルギ投入信号は、上記エネルギ投入動作の実施が可能な期間を指示し、上記目標二次電流指令信号は、上記エネルギ投入動作の実施の可否と投入されるエネルギを指示する、請求項１に記載の内燃機関の点火制御装置。
【請求項３】
上記信号分離回路部は、上記第１信号のパルス幅（ｔ１）に基づいて、上記目標二次電流指令信号を生成する、請求項１又は２に記載の内燃機関の点火制御装置。
【請求項４】
上記信号分離回路部は、上記点火制御信号の立ち上がりから規定時間（ｔ２）内における上記第１信号の出力回数に基づいて、上記目標二次電流指令信号を生成する、請求項１又は２に記載の内燃機関の点火制御装置。
【請求項５】
上記信号分離回路部は、上記第１信号の出力信号レベル（Ｖｓ）に基づいて、上記目標二次電流指令信号を生成する、請求項１又は２に記載の内燃機関の点火制御装置。
【請求項６】
上記信号分離回路部は、上記第１信号のデューティ比（Ｔ２／Ｔ１）に基づいて、上記目標二次電流指令信号を生成する、請求項１又は２に記載の内燃機関の点火制御装置。
【請求項７】
上記信号分離回路部は、上記第１信号と上記第２信号とを、動作開始後に入力する信号の順序、又は、パルス波形情報に基づいて検出する、請求項１〜６のいずれか１項に記載の内燃機関の点火制御装置。
【請求項８】
上記第１信号と上記第２信号とは、少なくとも初回の出力において、互いに出力信号レベルの異なるパルス波形を有し、上記信号分離回路部は、予め規定された出力信号レベルに基づいて、上記第１信号を検出する、請求項７に記載の内燃機関の点火制御装置。
【請求項９】
上記第１信号と上記第２信号とは、少なくとも初回の出力において、互いにパルス幅の異なるパルス波形を有し、上記信号分離回路部は、予め規定されたパルス幅に基づいて、上記第１信号を検出する、請求項７に記載の内燃機関の点火制御装置。
【請求項１０】
上記一次コイルは、主一次コイル（２１ａ）及び副一次コイル（２１ｂ）を有しており、上記エネルギ投入回路部は、上記副一次コイルへの通電を制御することにより、上記エネルギ投入動作を制御する、請求項１〜９のいずれか１項に記載の内燃機関の点火制御装置。
【請求項１１】
上記信号分離回路部は、上記主点火回路部及び上記エネルギ投入回路部を含む点火装置（１０）内に設けられる、請求項１〜９のいずれか１項に記載の内燃機関の点火制御装置。
【請求項１２】
上記エネルギ投入回路部は、上記エネルギ投入動作の許可期間を設定すると共に、上記エネルギ投入動作の許可信号を出力するエネルギ投入許可期間設定部（４２）を備える、請求項１〜１１のいずれか１項に記載の内燃機関の点火制御装置。
【請求項１３】
上記許可信号は、上記信号分離回路部からの出力信号に基づいて生成されるパルス信号（Ｓ１）であり、パルス幅によって上記許可期間の最大期間が設定される、請求項１２に記載の内燃機関の点火制御装置。
【請求項１４】
上記エネルギ投入回路部は、上記目標二次電流指令信号がゼロレベルであるときに、上記エネルギ投入動作を停止する、請求項１〜１３のいずれか１項に記載の内燃機関の点火制御装置。
【請求項１５】
上記点火制御信号を生成して送信する点火制御信号送信部（１００）を、さらに備える、請求項１〜１４のいずれか１項に記載の内燃機関の点火制御装置。
【手続補正２】
【補正対象書類名】明細書
【補正対象項目名】０００８
【補正方法】変更
【補正の内容】
【０００８】
本発明の一態様は、
一次コイル（２１）を流れる一次電流（Ｉ１）の増減により、点火プラグ(Ｐ)に接続される二次コイル（２２）に放電エネルギを発生させる点火コイル（２）と、
上記一次コイルへの通電を制御して、上記点火プラグに火花放電を生起する主点火動作を行う主点火回路部（３）と、
上記主点火動作により上記二次コイルを流れる二次電流（Ｉ２）に対して、同極性の電流を重畳させるエネルギ投入動作を行うエネルギ投入回路部（４）と、を備える内燃機関の点火制御装置（１）であって、
上記主点火動作を制御する主点火信号（ＩＧＴ）と、上記エネルギ投入動作を制御するエネルギ投入信号（ＩＧＷ）と、目標二次電流指令信号（ＩＧＡ）とが統合された信号である点火制御信号（ＩＧ）を受信し、受信した上記点火制御信号に含まれる信号を分離する信号分離回路部（５）を備えており、
上記点火制御信号は、パルス状の第１信号（ＩＧ１）及び第２信号（ＩＧ２）からなり、
上記信号分離回路部は、上記点火制御信号から、上記第１信号及び上記第２信号のパルス波形情報である上記第１信号及び上記第２信号の立ち上がりに基づいて上記主点火信号を生成し、上記第２信号のパルス波形情報である上記第２信号のパルス幅に基づいて上記エネルギ投入信号を生成し、上記第１信号のパルス波形情報に基づいて上記目標二次電流指令信号を生成する、内燃機関の点火制御装置にある。
【手続補正３】
【補正対象書類名】明細書
【補正対象項目名】００３３
【補正方法】変更
【補正の内容】
【００３３】
副一次コイル制御回路４１は、これら各部から入力される信号の組合せによって、例えば、フィードバック信号ＳＦＢに基づくフィードバック制御の実施やバッテリ電圧信号ＳＢ等に基づいて、エネルギ投入動作の要否を判定し、所定のタイミングで駆動信号を生成して、放電継続スイッチＳＷ２及び還流スイッチＳＷ３を、オン駆動又はオフ駆動する。具体的には（例えば、図４参照）、目標二次電流指令信号ＩＧＡを比較器の基準電圧として目標二次電流値Ｉ２tgtが指示されると共に、エネルギ投入信号ＩＧＷに基づいてエネルギ投入期間が指示される。これにより、主点火信号ＩＧＴの立ち下がりから、点火プラグ２の火花ギャップＧで放電が開始されているであろう所定のディレイ時間Ｔｄ後に出力される信号とのアンド条件によって、放電継続スイッチＳＷ２の駆動信号が出力され、エネルギ投入動作が実施される。このように、エネルギ投入動作が実施される間、二次電流Ｉ２の検出値と目標二次電流指令信号ＩＧＡの比較結果に基づいて、二次電流値が目標二次電流値Ｉ２tgtを維持するようにフィードバック制御が実施される。